(57)【要約】      （修正有）【課題】水分が鉢本体内に溜まることがなく、通気性と排水効果の良いソフト栽培鉢の構造を提供する。【解決手段】主に鉢本体１で構成するソフト栽培鉢である。鉢本体に一つの上向きの開口と、一つの収納スペースを具有し、収納スペースに一つの植え込み材を設置することができる。鉢本体の底壁１２に一つの貫通する排水口１２１を具有し、及び底壁の内側に一つの凸リング１２４を形成し、排水口は凸リングによって囲まれた範囲内にある。凸リングに一つの切欠口１２３を設けることでアークフラップ１２２を定義つけ、アークフラップの高さにより、植え込み材が底壁との間に一つの隙間を具有することで、鉢本体の通気性をよくする。水遣りをした後、水分は各切欠口から排水口まで流れて鉢本体の外に排出するため、水分は鉢本体内に溜まることがなく、それにより鉢本体内部は通気性と排水効果が共に良好となり、栽培株が生育するのに最適な環境となる。【選択図】図２
0003190939.tif 000002
【実用新案登録請求の範囲】
【請求項１】
鉢本体を含み、
該鉢本体に一つの上向きの開口と、一つの収納スペースを具有し、該収納スペースに一つの植え込み材を設置することができ、
該鉢本体の底壁に一つの貫通する排水口を具有し、及び該底壁の内側に一つの凸リングを形成し、該排水口は該凸リングによって囲まれた範囲内にあり、
該凸リングに一つの切欠口を設けることでアークフラップを定義つけ、該アークフラップの高さにより、植え込み材が該底壁との間に一つの隙間を具有し、
該切欠口及び該隙間により、気体及び液体が流れることを特徴とするソフト栽培鉢の構造。
【請求項２】
前記底壁の縁に沿って上向きに枠壁を延伸し、該底壁及び該枠壁によって共に収納スペースを作り出し、該鉢本体を開口した状態に保つために、該枠壁に沿って第一リングを設けることを特徴とする請求項１記載のソフト栽培鉢の構造。
【請求項３】
前記枠壁の上部に沿って内側に窪む凹リング槽を設け、該凹リング槽の上槽壁は、該植え込み材を入れる高さの参考ラインとすることができ、該凹リング槽の下槽壁により該鉢本体に栽培する植物の根が鉢本体の外に生育するのを避けることができることを特徴とする請求項２記載のソフト栽培鉢の構造。
【請求項４】
前記枠壁の該第一リングを設置する高さは該凹リング槽より高くすることを特徴とする請求項３記載のソフト栽培鉢の構造。
【請求項５】
前記凹リング槽の下槽壁から延伸し、等間隔に配列し、且つ内側に窪む複数の逆三角形凹部を形成し、各逆三角形凹部が形成するスペースと該凹リング槽のスペースは互いに通じ、
各逆三角形凹部の縁により、該鉢本体に栽培する植物の根が該鉢本体の外にまで生育するのを避けることができることを特徴とする請求項３記載のソフト栽培鉢の構造。
【請求項６】
前記枠壁に沿って等間隔に配列する外側に突出する複数のリブを設け、且つ外側に突出する各リブは該枠壁の内側に一つのガイドルートを形成し、各ガイドルートは該収納スペースと互いに通じ、該枠壁により、該植え込み材と各ガイドルートとの間に隙間が形成され、各隙間により気体と液体が流れることを特徴とする請求項２記載のソフト栽培鉢の構造。
【請求項７】
前記各リブは該凹リング槽の下槽壁及び各逆三角形凹部の縁から該枠壁に沿って下向きに底壁まで延伸することを特徴とする請求項５及び請求項６記載のソフト栽培鉢の構造。
【請求項８】
前記枠壁及び各リブの間に、該枠壁に沿ってフープ状に第二リングを設けることを特徴とする請求項６記載のソフト栽培鉢の構造。
【考案の詳細な説明】
【技術分野】
【０００１】
本考案は栽培用の鉢の構造に関し、特にソフト栽培鉢の構造に関する。
【背景技術】
【０００２】
栽培鉢は植物を植える際に使うものである。植物の根っこ部分に多くの水が溜まって生育が悪くなる、或いは枯れるのを防止するために、通常底部に余分の水を流すための穴がある。
栽培鉢の種類はハード栽培鉢、ソフト栽培鉢、プラグトレーなどに分けられる。苗を育てる段階では、通常ソフトタイプの栽培鉢を使用する。ソフトタイプの栽培鉢の材質は柔らかく、苗を移植する際に、苗を取りやすく、移植が必要な栽培株に便利である。
【０００３】
図５と図６に示すように、通常移植しやすいよう、植物を柔らかいプラスティック鉢に植える。一般的なソフト鉢は鉢本体２を含み、該鉢本体２に含まれるのは枠壁２１及び底壁２２であり、該枠壁２１の両端が空いたパイプ状であり、該枠壁２１の下縁と該底壁２２の縁は連結し、該枠壁２１及び該底壁２２によって共に一つの収納スペース２３を作り出す。該収納スペース２３に一つの植え込み材(未図示)を設置することができる。
【０００４】
該鉢本体１は柔らかいプラスティック素材で作られているため、該鉢本体２を支えるよう該枠壁２１に沿って、等間隔に垂直に下向きに延びる複数のリブ２１１を設置する。該底壁２２に一つの貫通する排水口２２１を具有して水を排水するが、該底壁２２の内側は平面であるため、鉢本体２に設置する植え込み材と該底壁２２がしっかりと貼合し、通気と排水の効果が悪くなる。
よって、水遣りの後、該鉢本体２は適時に水分を該鉢本体２の外に排出できない可能性があり、また、該鉢本体２内の環境も通気性が悪く、植物の根っこを腐らせてしまいがちであることを鑑みて、更なる改善が必要であった。
【０００５】
公知の台湾実用新案第M３９６６０８号公報の考案の名称「植木鉢改良構造」は前述構造の考案者が考案したものである。
【先行技術文献】
【特許文献】
【０００６】
【特許文献１】台湾実用新案第M３９６６０８号公報
【特許文献２】特開２２０１２−２２３１７７号公報
【考案の概要】
【考案が解決しようとする課題】
【０００７】
本考案は前記公知構造の欠点を解決するためになされたもので、本考案は、水分は該鉢本体内に溜まることがなく、それにより該鉢本体内部は通気性と排水効果が共に良好となり、栽培株が生育するのに最適な環境のソフト栽培鉢の構造を提供することを主な課題とする。
【課題を解決するための手段】
【０００８】
前記課題を解決するために、本考案はソフト栽培鉢の構造を提供するものであるが、鉢本体を含み、該鉢本体に一つの上向きの開口と、一つの収納スペースを具有し、該収納スペースに一つの植え込み材を設置することができる。該鉢本体の底壁に一つの貫通する排水口を具有し、及び該底壁の内側に一つの凸リングを形成し、該排水口は該凸リングによって囲まれた範囲内にある。該凸リングに一つの切欠口を設けることでアークフラップを定義つけ、該アークフラップの高さにより、植え込み材が該底壁との間に一つの隙間を具有する。該切欠口及び該隙間により、気体及び液体が流れる。
【０００９】
各アークフラップの高さにより、該収納スペースに設置する植え込み材(水草を例に上げるが、それに限らず)と底壁の間に隙間を形成することができる。各アークフラップはリング状の配列であるため、該アークフラップは該植え込み材と面の接触の状態となるため、該底壁と該植え込み材との間に隙間を形成しやすく、それにより該鉢本体内部の通気性がよくなる。また切欠口により、水遣りの後に水分は各切欠口から排水口へと水分を鉢本体の外に排出するため、水分は鉢本体内に溜まらず、該鉢本体内部は排水がよく、且つ通気性がよい環境となるため、通気性と排水の良い条件が必要な栽培株に最適である。
【考案の効果】
【００１０】
本考案の鉢本体は、底壁に排水口、凸リング、切欠口及びアークフラップ設け、該アークフラップの高さにより、植え込み材が該底壁との間に一つの隙間を具有する。そのため、水遣りをした後、水分は各切欠口から排水口まで流れて鉢本体の外に排出するため、水分は該鉢本体内に溜まることがなく、それにより該鉢本体内部は通気性と排水効果が共に良好となり、栽培株が生育するのに最適な環境となる。
【図面の簡単な説明】
【００１１】
【図１】本考案の実施例のソフト栽培鉢の立体図である。
【図２】本考案のソフト栽培鉢の仰視立体図である。
【図３】本考案のソフト栽培鉢の逆三角形凹部断面立体図である。
【図４】本考案のソフト栽培鉢のリブ断面立体図である。
【図５】従来技術のソフト栽培鉢の立体図である。
【図６】従来技術のソフト栽培鉢の断面立体図である。
【考案を実施するための形態】
【００１２】
以下、本考案のソフト栽培鉢の構造と特徴および効果を、最良実施例と図面を参照しながら詳細に説明する。
【実施例】
【００１３】
図１及び図２に示すのは、本考案の実施例のソフト栽培鉢である。それに含まれるのは鉢本体１であり、一つの上向きの開口と、一つの収納スペース１３を具有する。該収納スペース１３に一つの植え込み材及び栽培株を設置することができる。(植え込み材及び栽培株は本考案の構成ではないため、未図示である)。該鉢本体１の底壁１２に一つの貫通する排水口１２１を具有し、及び該底壁１２の内側に一つの凸リング１２４を形成し、該排水口１２１は該凸リング１２４によって囲まれた範囲内にある。該凸リング１２４に一つの切欠口１２３を設けることでアークフラップを定義つけ、該アークフラップ１２２の高さにより、植え込み材が該底壁１２との間に一つの隙間を具有する(植え込み材は未図示であるため、当該隙間も未図示である)。
本考案の最良実施例において、該底壁１２に四つの切欠口１２３を設け、該四つの切欠口によって四つのアークフラップ１２２を定義し、各アークフラップ１２２の幅と高さはそれぞれ０．５(±５％)センチ及び０．２(±５％)センチである。該切欠口１２３及び該隙間により、気体及び液体が流れる。
【００１４】
各アークフラップ１２２の高さにより、該収納スペース１３に設置する植え込み材(水草を例に上げるが、それに限らず)と底壁１２の間に隙間を形成することができる。各アークフラップ１２２はリング状の配列であるため、該アークフラップ１２２は該植え込み材と面の接触の状態となるため、該底壁１２と該植え込み材との間に隙間を形成しやすく、それにより該鉢本体１内部の通気性がよくなる。また、本考案の最良実施例において、二つのアークフラップ１２２の間に切欠口１２３を具有するため、水遣りの後に水分は各切欠口１２３から排水口１２１へと水分を鉢本体１の外に排出するため、水分は鉢本体１内に溜まらず、該鉢本体１内部は排水がよく、且つ通気性がよい環境となるため、通気性と排水の良い条件が必要な栽培株に最適である。
【００１５】
図１及び図２に示すように、該鉢本体１は該底壁１２のほかに、底壁１２の縁に沿って上向きに枠壁１１を延伸し、該底壁１２及び該枠壁１１によって共に該鉢本体１の収納スペース１３を作り出す。該鉢本体１はプラスティックの材料を用いて作成した薄型の鉢本体１であるため、硬さが比較的柔らかい。該鉢本体１を開口した状態に保つために、該枠壁１１の上部に沿って第一リング１１３を設ける。また、栽培株を植える或いは移植する過程は、現在でも人工的に行っているため、量産する場合、栽培株が規格化及び標準化に達するためにも、水遣りも一定量を保つ必要があるため、よって、該第一リング１１３は水遣りの参考ラインとすることができる。
【００１６】
図１、図３及び図４に示すように、栽培株が規格化及び標準化に達するために、該枠壁１１の上部に沿って内側に窪む凹リング槽１１４を設ける。本考案の最良実施例において、該凹リング槽１１４の幅は０．４(±５％)センチとし、且つ、該凹リング槽１１４の窪む深さは０．２(±５％)センチとする。該凹リング槽１１４の上槽壁１１５は、該植え込み材を入れる高さの参考ラインとすることができる。
【００１７】
図１、図２及び図４に示すように、該鉢本体１に栽培する植物の気根は、該凹リング槽１１４の下槽壁１１６に阻まれて該鉢本体１の外に生育できない。植物の気根が該下槽壁１１６に集中するのを避け、気根が密集しすぎて通気性が悪くなり、生育に影響しないよう、該凹リング槽１１４の下槽壁１１６から延伸し、等間隔に配列し、且つ内側に窪む複数の逆三角形凹部１１７を形成する。本考案の最良実施例において、各逆三角形凹部１１７の窪む深さ０．２(±５％)センチとし、各逆三角形凹部１１７が形成するスペースと該凹リング槽１１４のスペースは互いに通じる。各逆三角形凹部１１７の縁１１８により、該鉢本体１に栽培する植物の根が該鉢本体１の外にまで生育するのを避けることができ、且つ該植物の気根が該下槽壁１１６に密集して分布することなく、各逆三角形凹部１１７の縁１１８の下にも分散することになる。
【００１８】
図１及び図３に示すように、該底壁１２のアークフラップ１２２により、該収納スペース１３に設置する植え込み材と該底壁１２との間に隙間を形成できるほか、該アークフラップ１２２は該鉢本体１に栽培する植物の気根が、排水口１２１から外に伸びて生育するのを避けることができる。
【００１９】
図１及び図３に示すように、該第一リング１１３は水遣りの参考ラインであり、且つ該凹リング槽１１４の上槽壁１１５は該植え込み材を設置する高さの参考ラインであるため、該植え込み材が充分に水分を得られるよう、該枠壁１１の該第一リング１１３を設置する高さは該凹リング槽１１４より高くする。
【００２０】
図１、図２及び図３に示すように、該鉢本体１はプラスティックの材料を用いて作成した薄型の鉢本体１であるため、硬さが比較的柔らかい。よって、該枠壁１１に沿って等間隔に垂直に下向きに延びる複数のリブ１１１を設けて該鉢本体１を支える。該鉢本体１を支えるために該枠壁１１に沿って等間隔に垂直に下向きに延びる複数のリブ１１１のほかに、更に該枠壁１１及び各リブ１１の間に、該枠壁１１に沿ってフープ状に第二リング１１９を設ける。垂直方向のリブ及びフープ状の第二リング１１９の交差により、該鉢本体１は更に安定したものとなる。本考案の最良実施例において、該枠壁１１の下部に、二本の第二リング１１９で形成するリングを具有することで、該鉢本体１は更に安定したものとなる。
【００２１】
図１、図２及び図３に示すように、該凹リング槽１１４の下槽壁１１６及び各逆三角形凹部１１７の縁１１８により、植物の気根が該鉢本体１の外にまで生育するのを避けることができる。よって植物の気根は主に該鉢本体１内に生育するため、生育不良を避けるためにも、該鉢本体１の通気性及び排水をもっと重視すべきである。よって、該枠壁１１に沿って等間隔に配列する外側に突出する複数のリブ１１１を設ける。本考案の最良実施例において、各リブ１１１の幅は０.３〜０.４センチ、突出の高さは０．２(±５％)センチとする。且つ外側に突出する各リブ１１１は該枠壁１１の内側に一つのガイドルート１１２を形成し、各ガイドルート１１２は該収納スペース１３と互いに通じる。該枠壁１１により、該植え込み材と各ガイドルート１１２との間に隙間が形成することで(該隙間は該植え込み材と各ガイドルート１１２によって形成するものである。該植え込み材は未図示であるため、該隙間も未図示となる)、各隙間により気体と液体が流れる。本考案の最良実施例において、各リブ１１１は該底壁１２まで延伸することで、各隙間もまた該底壁１２まで延伸することができ、それにより通気性と排水効果が共に良好となり、植物が生育するのに最適な環境となる。
【００２２】
図１から図４に示すように、各リブ１１１は該凹リング槽１１４の下槽壁１１６及び各逆三角形凹部１１７の縁１１８から該枠壁１１に沿って下向きに延伸することで、該凹リング槽１１４の下槽壁１１６及び各逆三角形凹部１１７の縁１１８の完全性を維持することができ、植物の気根が該鉢本体１の外にまで生育するのを避ける。
【符号の説明】
【００２３】
１  鉢本体
１１  枠壁
１１１  リブ
１１２  ガイドルート
１１３  第一リング
１１４  凹リング槽
１１５  上槽壁
１１６  下槽壁
１１７  逆三角形凹部
１１８  縁
１１９  第二リング
１２  底壁
１２１  排水口
１２２  アークフラップ
１２３  切欠口
１２４  凸リング
１３  収納スペース
２  鉢本体
２１  枠壁
２１１  リブ
２２  底壁
２２１  排水口
２３  収納スペース
【図１】
0003190939.tif 000003
【図２】
0003190939.tif 000004
【図３】
0003190939.tif 000005
【図４】
0003190939.tif 000006
【図５】
0003190939.tif 000007
【図６】
0003190939.tif 000008